(57)【要約】  【課題】  コネクタソケットとコネクタプラグ間の引張り強度が弱く、コネクタプラグに配線された電線を引っ張ることによりコネクタプラグがコネクタソケットから外れ通電が途切れる。  【解決手段】  カバーコネクタ３０は、その係止突起３３をコネクタ装着部１５の係止孔部２５に係脱可能に係止することで、コネクタ装着部１５に装着してあり、コネクタプラグ４０は、そのねじ部材４７をビットインサート部３４の雌ねじ部材３５に螺合することでコネクタソケット７に結合してあり、ケース本体２とをコネクタプラグ４０を介して一体化を図った。【選択図】  図６
2005166525.tif 000002
【特許請求の範囲】
【請求項１】
電子機器ケース内に、回路基板を有する制御ユニットを収容し、この回路基板に一方のコネクタを実装し、且つ前記電子機器ケースに、前記一方のコネクタを表出して、この一方のコネクタに他方のコネクタを結合するようにした電子機器における電気コネクタ装置であって、
前記電子機器ケースにコネクタ装着部を設け、このコネクタ装着部に中間コネクタを着脱可能に装着し、この中間コネクタに前記他方のコネクタを固着するようにしたことを特徴とする電子機器における電気コネクタ装置。
【請求項２】
前記コネクタ装着部は、前記一方のコネクタを表出させる表出部を挟んだ両側に一方の係止部を設けて構成してあり、
前記中間コネクタは、前記一方の係止部に係脱可能に係止する他方の係止部と、前記他方のコネクタが着脱可能に取付けられる一方の取付部とを有しており、
前記他方のコネクタは前記一方の取付部に着脱可能に取付けられる他方の取付部を有していて、
前記中間コネクタは、前記他方の係止部を前記一方の係止部に係脱可能に係止することで前記コネクタ装着部に装着してあり、前記他方のコネクタは、前記他方の取付部を前記一方の取付部に着脱可能に取付けることで、前記中間コネクタに取付けられることを特徴とする請求項１に記載の電子機器における電気コネクタ装置。
【請求項３】
前記中間コネクタはコネクタ本体を有していて、そのコネクタ本体の相対向する両端部の内側に、雌ねじ部材を有する雌ねじ部材保持部を設けて前記一方の取付部とし、
前記他方のコネクタの両端部にねじ部材取付部を設けると共に、これらのねじ部材取付部に回転可能にねじ部材を設けて前記他方の取付部とし、
前記ねじ部材を前記雌ねじ部材に螺合することで前記他方のコネクタを前記中間コネクタに固着するようにしたことを特徴とする請求項２に記載の電子機器における電気コネクタ装置。
【請求項４】
前記雌ねじ部材保持部を前記コネクタ本体に対して切り離し可能にしたことを特徴とする請求項３に記載の電子機器における電気コネクタ装置。
【請求項５】
前記中間コネクタは、この中間コネクタが前記コネクタ装着部に装着された際に、前記回路基板の端部を覆うカバー部を有することを特徴とする請求項２乃至請求項４のいずれかの一に記載の電子機器における電気コネクタ装置。
【請求項６】
前記中間コネクタを透明材料で成形して、前記回路基板に設けられたＬＥＤの光を導光して表示部を形成するようにしたことを特徴とする請求項２乃至請求項５のいずれかの一に記載の電子機器における電気コネクタ装置。
【請求項７】
前記中間コネクタが、前記電気機器ケースに装着される端子台と同様にモジュール化に対応したモジュール構造にしてあることを特徴とする請求項２乃至請求項６のいずれかの一に記載の電子機器における電気コネクタ装置。
【請求項８】
前記電子機器をデバイスネットに接続するためのデバイスネット用コネクタとして用いるようにしたことを特徴とする請求項１乃至請求項７のいずれかの一に記載の電子機器における電気コネクタ装置。
【発明の詳細な説明】
【技術分野】
【０００１】
本発明は、温度調節器やデジタルパネルメータ等の電子機器における電気コネクタ装置に関する。
【背景技術】
【０００２】
温度調節器やデジタルパネルメータ等の電子機器はデバイスネット用コネクタを介してデバイスネットで使用することができる。このデバイスネットとは、ＰＬＣ、パソコン（ＰＣ）、センサ、アクチュエータなどの制御機器間の相互接続が容易に行えるフィールド／ネットワークである。デバイスネットの採用は、省配線により配線コストの低減とマルチベンダ機器の接続により快適でより経済的なシステム構築を実現することが可能である。
【０００３】
このデバイスネットに電子機器を接続するデバイスネット用コネクタは、図２１に示すようにコネクタソケット５０とコネクタプラグ６０とにより構成してある。そして、コネクタソケット５０は、電子機器ケース７０内に収容されたモジュール基板７１の後端部に実装してあり、このモジュール基板７１の後端部及びコネクタソケット５０はコネクタ装着部７２の底部の開口部７３内に位置している。
【０００４】
また、コネクタプラグ６０は、その嵌入部６１をコネクタソケット５０の嵌入凹部５２に嵌入することで、コネクタプラグ６０側の雌型接続端子（図示せず）にコネクタソケット５０側の接続端子（図示せず）のコンタクト部５３を挿入して接続し、コネクタプラグ６０はコネクタソケット５０に結合される。
【０００５】
また、従来の電子機器におけるコネクタ構造として、コネクタソケットと、このコネクタソケットに着脱自在に結合するコネクタプラグとで構成されるものがある。そして、コネクタソケットとコネクタプラグとが互いに結合した際に、コネクタプラグが有するフラットケーブルに加わるテンション等によって簡単に外れることがないようにロック補助部材を用いて結合状態を保持するようにしている。
【０００６】
すなわち、コネクタプラグは、フラットケーブルが接続されるソケットコンタクトと、このソケットコンタクトが保持固定されるハウジングと、このハウジングを覆うように装着されると共にフラットケーブルをソケットコンタクトに押圧するカバーと、このカバーを覆うようにハウジングに装着されると共にカバーとの間でフラットケーブルを扶持するストレインリリーフとから構成してある。
【０００７】
また、コネクタソケットは、ソケットコンタクトと接続するピンコンタクトと、このピンコンタクトが保持固定されるブロックとから構成してあり、コネクタソケットにはピン挿入溝が設けてある。
【０００８】
また、ロック補助部材は略逆L字形状をしており、一方端側に係合ピンを有し、他方端側に引っ掛け部を有する構成である。
【０００９】
そして、コネクタソケットをコネクタプラグに結合した後に、ロック補助部材の係合ピンをコネクタソケットのピン挿入溝に挿入し、引っ掛け部をコネクタプラグのストレインリリーフの側面に引っ掛けて、コネクタソケットがコネクタプラグから外れないようにしてある（特許文献１参照）。
【特許文献１】特開２００１−３３２３４６号公報
【発明の開示】
【発明が解決しようとする課題】
【００１０】
しかしながら、上記した従来の前者のデバイスネット用コネクタにあっては、コネクタプラグ６０は、その嵌入部６１をコネクタソケット５０の嵌入凹部５２に嵌入し、コネクタプラグ６０側の雌型接続端子にコネクタソケット５０側の接続端子のコンタクト部５２を挿入して接続することでコネクタプラグ６０がコネクタソケット５０に結合してあるために、コネクタソケット５０とコネクタプラグ６０間の引張り強度が弱く、コネクタプラグ６０に配線された電線（図示せず）を引っ張ることによりコネクタプラグ６０がコネクタソケット５０から外れ通電が途切れるおそれがあった。
【００１１】
また、コネクタソケット５０とコネクタプラグ６０間の引張り強度を強くするために、コネクタソケット５０とコネクタプラグ６０とにそれぞれフランジ（図示せず）を形成して、フランジ同士をねじ部材（図示せず）で結合してコネクタソケット５０とコネクタプラグ６０間の結合力を増加するようにしたものがあるが、この場合、コネクタプラグ６０に配線された電線を引っ張ると引張り応力が直接にコネクタソケット５０に加わり、コネクタソケット５０を実装したモジュール基板７１における半田にクラックを発生させる要因となるという問題点があった。
【００１２】
また、上記した従来の後者のコネクタにあっては、コネクタソケットをコネクタソケットに結合した後に、ロック補助部材の係合ピンをコネクタソケットのピン挿入溝に挿入し、引っ掛け部をコネクタプラグのストレインリリーフの側面に引っ掛け、コネクタソケットがコネクタプラグから外れないようにしているために、コネクタソケットを回路基板に実装した場合には、コネクタプラグに配線された電線を引っ張ると引張り応力が直接にコネクタソケットに加わり、コネクタソケットを実装した回路基板における半田にクラックを発生させる要因となるという問題点があった。
【００１３】
本発明は、上記の問題点に着目して成されたものであって、その目的とするところは、コネクタプラグに配線された電線を引っ張ったとしても直接に一方のコネクタ（例えば、コネクタソケット）には引張り荷重がかかることはなく、半田クラックの発生がなく、また、引っ張り強度だけではなく、制御ユニットの回路基板へのストレスも軽減できる電子機器における電気コネクタ装置を提供することである。
【課題を解決するための手段】
【００１４】
上記の目的を達成するために、本発明に係る電子機器における電気コネクタ装置は、電子機器ケース内に、回路基板を有する制御ユニットを収容し、この回路基板に一方のコネクタを実装し、且つ電子機器ケースに、一方のコネクタを表出して、この一方のコネクタに他方のコネクタを結合するようにした電子機器における電気コネクタ装置であって、電子機器ケースにコネクタ装着部を設け、このコネクタ装着部に中間コネクタを着脱可能に装着し、この中間コネクタに他方のコネクタを固着するようにしたものである。
【００１５】
かかる構成により、中間コネクタは電子機器ケースに設けられたコネクタ装着部に装着することによって、この中間コネクタと電子機器ケースとの一体化が図られており、他方のコネクタは中間コネクタに固着してあり、この状態で、他方のコネクタが一方のコネクタに結合してあるために、他方のコネクタと一方のコネクタは一定位置に固定され外れるという不具合は生じない。
【００１６】
また、電子機器ケースと他方のコネクタとは中間コネクタを介して一体化が図られているので、この他方のコネクタに配線された電線を引っ張ったとしても電子機器ケースを引っ張ることになり、直接に一方のコネクタには引張り荷重がかかることはないので半田クラックの発生は起こらない。また、引っ張り強度だけではなく、制御ユニットにかかる振動、衝撃なども中間コネクタと電子機器ケースで吸収するために、制御ユニットの回路基板へのストレスも軽減できる。
【００１７】
ここで、一方のコネクタとは、例えば、コネクタソケットが該当し、他方のコネクタとは、例えば、コネクタプラグが該当し、中間コネクタとは、例えば、カバーコネクタが該当する。
【００１８】
また、本発明に係る電子機器における電気コネクタ装置は、上記した本発明に係る電子機器における電気コネクタ装置において、コネクタ装着部は、一方のコネクタを表出させる表出部を挟んだ両側に一方の係止部を設けて構成してあり、中間コネクタは、一方の係止部に係脱可能に係止する他方の係止部と、他方のコネクタが着脱可能に取付けられる一方の取付部とを有しており、他方のコネクタは一方の取付部に着脱可能に取付けられる他方の取付部を有していて、中間コネクタは、他方の係止部を一方の係止部に係脱可能に係止することでコネクタ装着部に装着してあり、他方のコネクタは、他方の取付部を一方の取付部に着脱可能に取付けることで中間コネクタに取付けられる。
【００１９】
かかる構成により、中間コネクタは、その他方の係止部を一方の係止部に係脱可能に係止することでコネクタ装着部に装着してあって、この中間コネクタと電子機器ケースとの一体化が図られており、他方のコネクタ（例えば、コネクタプラグ）は、その他方の取付部を中間コネクタの一方の取付部に取付けることで中間コネクタに取付けられて一体化が図られており、この状態で、他方のコネクタ（例えば、コネクタプラグ）が一方のコネクタ（例えば、コネクタソケット）に結合してあるために、他方のコネクタ（例えば、コネクタプラグ）と一方のコネクタ（例えば、コネクタソケット）は一定位置に固定され外れるという不具合は生じない。
【００２０】
また、電子機器ケースと中間コネクタと他方のコネクタ（例えば、コネクタプラグ）とは一体化されているので、この他方のコネクタ（例えば、コネクタプラグ）に配線された電線を引っ張ったとしても電子機器ケースを引っ張ることになり、直接に一方のコネクタ（例えば、コネクタソケット）には引張り荷重がかかることはないので半田クラックの発生は起こらない。また、引っ張り強度だけではなく、制御ユニットにかかる振動、衝撃なども中間コネクタと電子機器ケースで吸収するために、制御ユニットの回路基板へのストレスも軽減できる。
【００２１】
ここで、一方の係止部とは、例えば、コネクタ装着部の上部になる周壁部とコネクタ装着部の下部になる仕切壁部にそれぞれに形成された係止孔部が該当し、他方の係止部とは、例えば、カバーコネクタのコネクタ本体の相対向する両端部に舌片を形成して、これらの舌片の外面に係止突起を突設したものが該当し、一方の取付部とは、例えば、コネクタ本体の相対向する両端部の内側に、雌ねじ部材を有する雌ねじ部材保持部（ビットインサート部）を形成したものが該当し、他方の取付部とは、他方のコネクタの両端部にねじ部材取付部を設けると共に、これらのねじ部材取付部に回転可能にねじ部材を設けたものが該当する。
【００２２】
また、本発明に係る電子機器における電気コネクタ装置は、上記した本発明に係る電子機器における電気コネクタ装置において、中間コネクタはコネクタ本体を有していて、このコネクタ本体の相対向する両端部の相対向する両端部の内側に、雌ねじ部材を有する雌ねじ部材保持部を設けて一方の取付部とし、他方のコネクタの両端部にねじ部材取付部を設けると共に、これらのねじ部材取付部に回転可能にねじ部材を設けて他方の取付部とし、ねじ部材を雌ねじ部材に螺合することで他方のコネクタを中間コネクタに固着するようにした。
【００２３】
かかる構成により、他方のコネクタ（例えば、コネクタプラグ）は、そのねじ部材を雌ねじ部材保持部の雌ねじ部材に螺合することで中間コネクタに固定してあり、この状態で、他方のコネクタ（例えば、コネクタプラグ）が一方のコネクタ（例えば、コネクタソケット）に結合してあるために、他方のコネクタ（例えば、コネクタプラグ）と一方のコネクタ（例えば、コネクタソケット）は一定位置に固定され外れるという不具合は生じない。
【００２４】
また、本発明に係る電子機器における電気コネクタ装置は、上記した本発明に係る電子機器における電気コネクタ装置において、雌ねじ部材保持部をコネクタ本体に対して切り離し可能にした。
【００２５】
かかる構成により、雌ねじ部材保持部を特殊工具により切除（カット）することができ、この雌ねじ部材保持部を切除した中間コネクタをコネクタ装着部に装着することで、デバイスネットコネクタ以外の電気コネクタを取付けることが可能になる。
【００２６】
また、本発明に係る電子機器における電気コネクタ装置は、上記した本発明に係る電子機器における電気コネクタ装置において、中間コネクタは、この中間コネクタがコネクタ装着部に装着された際に、回路基板の端部を覆うカバー部を有する。
【００２７】
かかる構成により、中間コネクタのカバー部が回路基板（例えば、モジュール基板）のＶカットされた端部の後方に位置していて、この端部が剥ぎ出しにならないようにすることができて、回路基板による静電気が取扱者に飛ばないように安全性を確保することができる。
【００２８】
また、本発明に係る電子機器における電気コネクタ装置は、上記した本発明に係る電子機器における電気コネクタ装置において、中間コネクタを透明材料で成形して、回路基板に設けられたＬＥＤの光を導光して表示部を形成するようにした。
【００２９】
かかる構成により、ＬＥＤが、例えば、デバイスネット通信ステ一タス（ＭＳ：モジュールステータス、ＮＳ：ネットワークステータス）を確証するためのＬＥＤである場合、中間コネクタを透明材料で成形することで、ＬＥＤの光を導光してデバイスネット通信ステ一タスの表示部にすることができる。
【００３０】
また、本発明に係る電子機器における電気コネクタ装置は、上記した本発明に係る電子機器における電気コネクタ装置において、中間コネクタが、電気機器ケースに装着される端子台と同様にモジュール化に対応したモジュール構造にしてある。
【００３１】
かかる構成により、中間コネクタが端子台と同様にモジュール化してあるために、端子台と同様に複数の電子機器に対応できて、商品仕様を拡大することができる。
【００３２】
また、本発明に係る電子機器における電気コネクタ装置は、電子機器をデバイスネットに接続するためのデバイスネット用コネクタとして用いるようにした。
【００３３】
かかる構成により、中間コネクタはデバイスネット用コネクタの一方及び他方のコネクタの接続部に使用されており、省スペースの有効性を活かしてデバイスネット通信の信頼性を上げることができる。
【発明の効果】
【００３４】
本発明に係る電子機器における電気コネクタ装置によれば、中間コネクタはコネクタ装着部に装着してあって、この中間コネクタと電子機器ケースと一体化が図られており、他方のコネクタ（例えば、コネクタプラグ）は中間コネクタに固着してあり、この状態で、他方のコネクタ（例えば、コネクタプラグ）が一方のコネクタ（例えば、コネクタソケット）に結合してあるために、他方のコネクタ（例えば、コネクタプラグ）と一方のコネクタ（例えば、コネクタソケット）は一定位置に固定され外れるという不具合は生じない。
【００３５】
また、電子機器ケースと他方のコネクタ（例えば、コネクタプラグ）とは中間コネクタを介して一体化されているので、この他方のコネクタ（例えば、コネクタプラグ）に配線された電線を引っ張ったとしても電子機器ケースを引っ張ることになり、直接に一方のコネクタ（例えば、コネクタソケット）には引張り荷重がかかることはないので半田クラックの発生は起こらない。また、引っ張り強度だけではなく、制御ユニットにかかる振動、衝撃なども中間コネクタと電子機器ケースで吸収するために、制御ユニットの回路基板へのストレスも軽減できる。
【発明を実施するための最良の形態】
【００３６】
以下、本発明の実施形態を、図面を参照しながら説明する。
【００３７】
図１は本発明に係る電気コネクタ装置を有する電子機器の分解状態を電子機器の前面側から見た斜視図、図２は同電子機器を、その後面側から見た一部分解した斜視図、図３は同電子機器を、その後面側から見た一部分解した斜視図、図４は同電子機器を、その後面側から見た斜視図、図５は図４のＨ−Ｈ線に沿う断面図である。
【００３８】
本発明に係る電子機器の電気コネクタ構造を、その実施の形態であるデバイスネットに電子機器を接続するデバイスネット用コネクタについて説明する。
【００３９】
電子機器ケースＫはフロントパネル１とケース本体２とから構成してあり、フロントパネル１には表示部１ａと複数の操作用スイッチ１ｂとが設けてある。また、フロントパネル１の裏面部にはメイン基板保持部３と複数のモジュール基板保持部４とが設けてあり、図５に示すように、このメイン基板保持部３がフロントパネル１と平行するようにしてメイン基板１Ａを保持している。このメイン基板１Ａには複数個のソケット１Ｂが実装してある。
【００４０】
また、モジュール基板保持部４は複数種類のモジュール基板（回路基板）５を着脱可能に保持していて、これらのモジュール基板５は、それぞれの前側（図５において左側）に実装されたプラグ１Ｃをソケット１Ｂに接続してメイン基板１に接続してあり、これらで制御ユニットを構成している。また、図１に示すように、フロントパネル１の上、下部には係止突起６が設けてある。
【００４１】
また、図１に示すように、複数種類のモジュール基板５のうちの一つのモジュール基板５ー１の後部にはデバイスネットコネクタの一方のコネクタであるコネクタソケット７が実装してあり、他のモジュール基板５の後端部にはエッジ形状の接続端子部５Ａが設けてある。
【００４２】
コネクタソケット７は、図８の（１）に示すように，絶縁材からなるソケットハウジング７Ａを有しており、このソケットハウジング７Ａには側面Ｕ字形状の嵌合凹部８が形成してある。そして、この嵌合凹部８には複数本の接続端子９のコンタクト部９Ａが直線状に配置してあり、ソケットハウジング７Ａの実装面には、接続端子９のリード部９Ｂが突出してあって、このリード部９Ｂを、図８の（２）に示すように，モジュール基板５ー１に設けたスルーホール１０に挿入して半田付けすることで、コネクタソケット７はモジュール基板５ー１に実装してある。
【００４３】
図１に示すように、ケース本体２は、その前面が開口し、後面が閉塞したボックス形状であって、前面の開口部１１を挟んだ上、下面部の縁部には突片部１２が形成してあり、これらの突片部１２には係止孔１３が設けてある。
【００４４】
また、後面部（背面部）１４は、図２に示すように、コネクタ装着部１５と複数の端子台装着部１６とに区画してある。すなわち、後面部１４の周部には周壁部１７が形成してあり、また、後面部１４は、図２において上下方向の仕切壁部１８と左右方向の仕切壁部１９により４つの領域２０、２１、２２、２３に区画してあり、領域２０は、図２において左右２つに区画してあって、この領域２０の右部分がコネクタ装着部１５にしてあり、また、領域２１、２２、２３がそれぞれに端子台装着部１６にしてある。
【００４５】
また、図６に示すように、コネクタ装着部１５の底部は開口部２４にしてあり、コネクタ装着部１５の上部になる周壁部１７とコネクタ装着部１５の下部になる仕切壁部１９にそれぞれに一方の係止部Ｆ１である係止孔部２５が形成してある。
【００４６】
また、図２に示すように、端子台装着部１６の底部には基板挿入用のスリット２６が形成してあり、これらの端子台装着部１６に端子台２７を装着した際に、これらの端子台２７に設けた係止突起２８が係脱可能に係止するための係止孔部２５−１が周壁部１７及び仕切壁部１９にそれぞれ形成してある。
【００４７】
そして、複数種類のモジュール基板５、５−１をケース本体２内に挿入してフロントパネル１がケース本体２に組付けてある。この場合、ケース本体２の突片部１２に設けた係止孔１３にフロントパネル１の係止突起６が係脱可能に係止される。また、モジュール基板５ー１の後端部５ａと、このモジュール基板５ー１の後部に実装されたＬＥＤ（デバイスネット通信ステ一タス（ＭＳ：モジュールステータス、ＮＳ：ネットワークステータス）を確証するためのＬＥＤ（発光ダイオード））Ｌ１、Ｌ２（図８の（３）参照）と、コネクタソケット７とがコネクタ装着部１５の底部の開口部２４内に位置しており、また、他のモジュール基板５の後端部がそれぞれに端子台装着部１６の底部のスリット２６を貫通していて接続端子部５Ａが端子台装着部１６内に位置している。
【００４８】
そして、コネクタ装着部１５には中間コネクタであるカバーコネクタ３０が装着してあり、このカバーコネクタ３０にデバイスネットコネクタの他方のコネクタであるコネクタプラグ４０が装着してあって、このコネクタプラグ４０がコネクタソケット７に結合するようにしてある。
【００４９】
すなわち、カバーコネクタ３０は図９乃至図１７に示すように、透明な合成樹脂製であって、平面視で長方形状のコネクタ本体３１を備えており、このコネクタ本体３１は、図９，図１０において上、下面部３１ａ、３１ｂと左、右面部３１ｃ、３１ｄとを有している。上、下面部３１ａ、３１ｂには、図１３、図１４に示すように、それぞれ一対の切込み３２ａにより舌片３２が形成してあり、これらの舌片３２の外面には係止突起３３が突設してあって、これらで他方の係止部Ｆ２を形成している。
【００５０】
また、コネクタ本体３１の内側には、上、下面部３１ａの内面及び左面部３１ｃに支持された雌ねじ部材保持部であるビットインサート部３４が設けてあり、これらのビットインサート部３４は雌ねじ部材３５を有していて、これらで一方の取付部Ｇ１が構成してある。
【００５１】
また、コネクタ本体３１の左面部３１ｃには、図１１に示すようにプラグ挿入用切欠き部３６が形成してあり、このプラグ挿入用切欠き部３６には一対の押え挿入部３７が形成してある。また、図１２に示すように右面部３１ｄには、その前縁部に位置させて切欠き部３８が形成してある。また、図１０に示すように右面部３１ｄから上、下面部３１ａ、３１ｂのそれぞれの縁部に跨るカバー部３９が形成してある。
【００５２】
コネクタプラグ４０は、図１８及び図１９に示すように、透明な合成樹脂製のコネクタ本体４１を備えており、このコネクタ本体４１は、その端面部４１ａに嵌入部４２と一対の押え部４３とを有しており、コネクタ本体４１には、その背面部４１ｂから嵌入部４２に抜ける端子孔部４４ａが直線状に並べて形成してあり、これらの端子孔部４４ａに雌型接続端子４４が装着してある。
【００５３】
また、コネクタ本体４１の上、下面部４１ｃ、４１ｄには取付部４５が突設してあり、これらの取付部４１ｃ、４１ｄにはねじ部材保持孔４６が設けてあって、これらのねじ部材保持孔４６はねじ部材４７を回転可能に保持していて、これらで他方の取付部Ｇ２を構成している。
【００５４】
そして、図６に示すように、カバーコネクタ３０は、その係止突起３３をコネクタ装着部１５の周壁部１７及び仕切壁部１９に設けられた係止孔部２５に係脱可能に係止することで、コネクタ装着部１５に装着してある。この場合、カバーコネクタ３０の上下のビットインサート部３４がコネクタソケット７の上、下方に位置し、カバーコネクタ３０の右面部３１ｄがモジュール基板５ー１の背面部の外方(図７において上方)に位置し、カバーコネクタ３０の左面部３１ｃがコネクタソケット７の外方(図７において下方)に位置している。そして、カバー部３９がモジュール基板５ー１のＶカットされた後端部５ａの後方に位置していて、この後端部５ａが剥き出しにならないようにしてある。
【００５５】
コネクタプラグ４０は、その嵌入部４２をコネクタソケット７の嵌入凹部８に嵌入して、雌型接続端子４４に接続端子９のコンタクト部９Ａを挿入して接続し、取付部４５に設けたねじ部材４７をビットインサート部３４の雌ねじ部材３５に螺合することでコネクタプラグ４０がコネクタソケット７に結合してある。この場合、図７に示すように、コネクタプラグ４０の一対の押え部４３がカバーコネクタ３０の左面部３１ｃに設けたプラグ挿入用切欠き部３６（図９参照）から押え挿入部３７に挿入してあって、押え部４３がコネクタソケット７の壁部７ａを嵌入凹部８側に押圧して、この嵌入凹部８を狭め嵌入部４２を把持している。
【００５６】
そして、図２及び図３に示すように、端子台装着部１６には、端子台２７が、その上、下部に設けた係止突起２８を、周壁部１７及び仕切壁部１９の係止孔部２５−１に係脱可能に係止して装着してある。この場合、端子台２７の底部に設けた嵌入部(図示せず)に、スリット２６を貫通した他のモジュール基板５の後端部の接続端子部５Ａが嵌入していて、接続端子部５Ａが、端子台２７が有する複数の端子２７Ａに導通している。
【００５７】
上記したように、カバーコネクタ３０は、その係止突起３３をコネクタ装着部１５の周壁部１７及び仕切壁部１９に設けられた係止孔部２５に係脱可能に係止することで、コネクタ装着部１５に装着してあって、カバーコネクタ３０とリアケース２との一体化が図られており、コネクタプラグ４０は、その取付部４５に設けたねじ部材４７をビットインサート部３４の雌ねじ部材３５に螺合することでコネクタプラグ４０がコネクタソケット７に結合してあるために、コネクタプラグ４０とコネクタソケット７は一定位置に固定され外れないようになる。
【００５８】
また、ケース本体２とカバーコネクタ３０とコネクタプラグ４０とは一体化が図られているために、コネクタプラグ４０に配線された電線（図示せず）を引っ張ったとしてもケース本体２を引っ張ることになり、直接にコネクタソケット７には引張り荷重がかかることはないので半田クラックの発生は起こらない。また、引っ張り強度だけではなく、制御ユニット（デバイスネットモジュール）にかかる振動、衝撃などもカバーコネクタ３０とリアケース２で吸収するために、モジュール基板５−１へのストレスも軽減できる。
【００５９】
また、図７に示すように、カバーコネクタ３０のカバー部３９がモジュール基板５ー１のＶカットされた後端部５ａの後方に位置していて、この後端部５が剥き出しにならないようにすることができて、モジュール基板５−１による静電気が取扱者に飛ばないように安全性を確保することができる。
【００６０】
また、図７に示すように、カバーコネクタ３０を透明材料で成形することにより、デバイスネット通信ステ一タス（ＭＳ：モジュールステータス、ＮＳ：ネットワークステータス）を確証するためのＬＥＤ（発光ダイオード）Ｌ１、Ｌ２の光を導光することができて表示部Ｓをカバーコネクタ３０に形成することができる。
【００６１】
また、カバーコネクタ３０が、電気機器ケースＫに装着される端子台２７と同様にモジュール化に対応したモジュール構造にしてあるために、端子台２７と同様に複数の電子機器に対応できて、商品仕様を拡大することができる。
【００６２】
また、図２０に示すように、カバーコネクタ３０はビットインサート部３４を特殊工具により切除（カット）することができ、このビットインサート部３４を切除したカバーコネクタ３０を上記した手順でコネクタ装着部１５に装着することで、デバイスネットコネクタ以外の電気コネクタを取付けることが可能である。
【００６３】
また、上記したカバーコネクタ３０はデバイスネット用コネクタの接続部に使用するものである。省スペースのメリットを生かしながらデバイスネット通信信頼性をあげることができる。
【産業上の利用可能性】
【００６４】
本発明は、電子機器ケースと他方のコネクタとが中間コネクタを介して一体化を図っているので、コネクタプラグに配線された電線を引っ張ったとしても直接に一方のコネクタ（例えば、コネクタソケット）には引張り荷重がかかることはなく、半田クラックの発生がなく、また、引っ張り強度だけではなく、制御ユニットの回路基板へのストレスも軽減できるという効果を有し、温度調節器やデジタルパネルメータ等の電子機器における電気コネクタ装置等として有用である。
【図面の簡単な説明】
【００６５】
【図１】本発明に係る電気コネクタ装置を有する電子機器の分解状態を電子機器の前面側から見た斜視図である。
【図２】同電子機器を、その後面側から見た一部分解した斜視図である。
【図３】同電子機器を、その後面側から見た一部分解した斜視図である。
【図４】同電子機器を、その後面側から見た斜視図である。
【図５】図４のＨ−Ｈ線に沿う断面図である。
【図６】本発明に係る電子機器における電気コネクタ装置の縦断面図である。
【図７】図５のＭ−Ｍ線に沿う断面図である。
【図８】（１）はコネクタプラグの正面側から見た斜視図である。（２）はコネクタソケットをモジュール基板に実装した状態の説明図である。（３）は（２）のＪ方向からの矢視図である。
【図９】カバーコネクタの斜視図である。
【図１０】カバーコネクタの平面図である。
【図１１】図１０のＡ方向からの矢視図である。
【図１２】図１０のＢ方向からの矢視図である。
【図１３】図１０のＣ方向からの矢視図である。
【図１４】図１０のＤ方向からの矢視図である。
【図１５】カバーコネクタの背面図である。
【図１６】図１０のＥ−Ｅ線に沿う断面図である。
【図１７】図１０のＩ−Ｉ線に沿う断面図である。
【図１８】コネクタプラグの背面側から見た斜視図である。
【図１９】同コネクタプラグを、その前面側から見た斜視図である。
【図２０】ビットインサート部を特殊工具により切除（カット）した状態のカバーコネクタの斜視図である。
【図２１】従来の電気コネクタ装置を有する電子機器を、その後面側から見た斜視図である。
【符号の説明】
【００６６】
Ｋ      電子機器ケース
Ｌ１、Ｌ２    （デバイスネット通信ステ一タス（ＭＳ：モジュールステータス、ＮＳ：ネットワークステータス）を確証するための発光ダイオード）
Ｓ      表示部
１      フロントパネル
２      ケース本体
１Ａ    メイン基板
３      メイン基板保持部
４      モジュール基板保持部
５      モジュール基板（回路基板）
５−１  モジュール基板（回路基板
７      コネクタソケット（一方のコネクタ）
８      嵌合凹部
９      接続端子
９Ａ    コンタクト部
１５    コネクタ装着部
１６    端子台装着部
１７    周壁部
１８    仕切壁部
１９    仕切壁部
２４    開口部
２５    係止孔部（一方の係止部Ｆ１）
２６    スリット
２７    端子台
３０    カバーコネクタ（中間コネクタ）
３１    コネクタ本体
３２    舌片（他方の係止部Ｆ２）
３３    係止突起（他方の係止部Ｆ２）
３４    ビットインサート部（雌ねじ部材保持部）（一方の取付部Ｇ１）
３５    雌ねじ部材（一方の取付部Ｇ１）
３９    カバー部
４０    コネクタプラグ（他方のコネクタ）
４１    コネクタ本体
４４    雌型接続端子
４５    取付部（他方の取付部Ｇ２）
４６    ねじ部材保持孔（他方の取付部Ｇ２）
４７    ねじ部材（他方の取付部Ｇ２）
【図１】
2005166525.tif 000003
【図２】
2005166525.tif 000004
【図３】
2005166525.tif 000005
【図４】
2005166525.tif 000006
【図５】
2005166525.tif 000007
【図６】
2005166525.tif 000008
【図７】
2005166525.tif 000009
【図８】
2005166525.tif 000010
【図９】
2005166525.tif 000011
【図１０】
2005166525.tif 000012
【図１１】
2005166525.tif 000013
【図１２】
2005166525.tif 000014
【図１３】
2005166525.tif 000015
【図１４】
2005166525.tif 000016
【図１５】
2005166525.tif 000017
【図１６】
2005166525.tif 000018
【図１７】
2005166525.tif 000019
【図１８】
2005166525.tif 000020
【図１９】
2005166525.tif 000021
【図２０】
2005166525.tif 000022
【図２１】
2005166525.tif 000023